(57)【特許請求の範囲】
【請求項１】
互いに異なる複数の通信手段による通信の履歴情報を記録し保持する履歴管理部と、
上記履歴管理部に保持された履歴情報に対する処理状況を示す履歴関連情報を記録し保持する情報管理テーブルと、
互いに異なる複数の通信手段による通信の履歴情報を一緒の画面に表示すると共に、上記情報管理テーブルに保持された履歴関連情報に基づき、上記履歴情報とその履歴情報に対する処理状況とを関連付けて表示する情報履歴一覧表示部と
を備えたことを特徴とする情報端末。
【請求項２】
情報管理テーブルは、履歴関連情報として、履歴管理部に保持された履歴情報間の関連を記録し保持し、
情報履歴一覧表示部は、上記情報管理テーブルに保持された履歴関連情報に基づき、上記履歴情報とその履歴情報に対する履歴情報とを関連付けて表示する
ことを特徴とする請求の範囲第１項記載の情報端末。
【請求項３】
通信相手の個人名と上記通信相手の通信アドレスとを記録した個人アドレス帳と、
上記個人アドレス帳を検索するアドレス帳検索部とを備え、
情報履歴一覧表示部は、上記アドレス帳検索部による上記個人アドレス帳の検索結果に基づき、履歴管理部に保持されている履歴情報に含まれる通信アドレスを個人名に置き換えて表示する
ことを特徴とする請求の範囲第１項記載の情報端末。
【請求項４】
サーバが保持している、互いに異なる複数の通信手段による通信の履歴情報と、上記履歴情報に対する処理状況を示す履歴関連情報とを受信し、互いに異なる複数の通信手段による通信の履歴情報を一緒の画面に表示すると共に、受信した履歴関連情報に基づき、受信した履歴情報とその履歴情報に対する処理状況とを関連付けて表示する情報履歴一覧表示部と
を備えたことを特徴とする情報端末。
【請求項５】
互いに異なる複数の通信手段による通信の履歴情報を記録し保持する履歴管理部と、
上記履歴管理部に保持された履歴情報に対する処理状況を示す履歴関連情報を記録し保持する情報管理テーブルと、
互いに異なる複数の通信手段による通信の履歴情報を一緒の画面に表示すると共に上記履歴情報とその履歴情報に対する処理状況とを関連付けて表示する情報端末からの要求に基づき、上記履歴管理部に保持された履歴情報と、上記情報管理テーブルに保持された履歴関連情報を上記情報端末に送信する個人情報管理部と
を備えたことを特徴とするサーバ。
【請求項６】
互いに異なる複数の通信手段による通信の履歴情報を記録し保持する履歴管理部と、
サーバが保持している、上記履歴情報に対する処理状況を示す履歴関連情報を受信し、互いに異なる複数の通信手段による通信の履歴情報を一緒の画面に表示すると共に、上記受信した履歴関連情報に基づき、上記履歴情報とその履歴情報に対する処理状況とを関連付けて表示する情報履歴一覧表示部と
を備えたことを特徴とする情報端末。
【請求項７】
互いに異なる複数の通信手段による通信の履歴情報に対する処理状況を示す履歴関連情報を記録し保持する情報管理テーブルと、
互いに異なる複数の通信手段による通信の履歴情報を一緒の画面に表示すると共に上記履歴情報とその履歴情報に対する処理状況とを関連付けて表示する情報端末からの要求に基づき、上記情報管理テーブルに保持された履歴関連情報を上記情報端末に送信する個人情報管理部と
を備えたことを特徴とするサーバ。
【請求項８】
サーバが保持している互いに異なる複数の通信手段による通信の履歴情報に対する処理状況を示す履歴関連情報を記録し保持する情報管理テーブルと、
上記サーバが保持している通信の履歴情報を受信し、互いに異なる複数の通信手段による通信の履歴情報を一緒の画面に表示すると共に、上記情報管理テーブルに保持された履歴関連情報に基づき、受信した履歴情報とその履歴情報に対する処理状況とを関連付けて表示する情報履歴一覧表示部と
を備えたことを特徴とする情報端末。
【請求項９】
互いに異なる複数の通信手段による通信の履歴情報を記録し保持する履歴管理部と、
互いに異なる複数の通信手段による通信の履歴情報を一緒の画面に表示すると共に上記履歴情報とその履歴情報に対する処理状況とを関連付けて表示する情報端末からの要求に基づき、上記履歴管理部に保持された履歴情報を上記情報端末に送信する個人情報管理部と
を備えたことを特徴とするサーバ。
【請求項１０】
互いに通信可能な情報端末とサーバとで構成された情報表示システムにおいて、
互いに異なる複数の通信手段による通信の履歴情報を記録し保持する履歴管理部と、
上記履歴管理部に保持された履歴情報に対する処理状況を示す履歴関連情報を記録し保持する情報管理テーブルと、
互いに異なる複数の通信手段による通信の履歴情報を一緒の画面に表示すると共に、上記情報管理テーブルに保持された履歴関連情報に基づき、上記履歴情報とその履歴情報に対する処理状況とを関連付けて表示する情報履歴一覧表示部と
を備えたことを特徴とする情報表示システム。
【請求項１１】
サーバは、履歴管理部および情報管理テーブルを備えると共に、上記履歴管理部に保持された履歴情報および上記情報管理テーブルに保持された履歴関連情報を情報端末に送信する個人情報管理部を備え、
上記情報端末は情報履歴一覧表示部を備え、上記情報履歴一覧表示部は、上記個人情報管理部から送信された履歴情報および履歴関連情報を受信する
ことを特徴とする請求の範囲第１０項記載の情報表示システム。
【請求項１２】
サーバは、情報管理テーブルを備えると共に、上記情報管理テーブルに保持された履歴関連情報を情報端末に送信する個人情報管理部を備え、
上記情報端末は履歴管理部および情報履歴一覧表示部を備え、上記情報履歴一覧表示部は、上記個人情報管理部から送信された履歴関連情報を受信する
ことを特徴とする請求の範囲第１０項記載の情報表示システム。
【請求項１３】
サーバは、履歴管理部を備えると共に、上記履歴管理部に保持された履歴情報を情報端末に送信する個人情報管理部を備え、
上記情報端末は情報管理テーブルおよび情報履歴一覧表示部を備え、上記情報履歴一覧表示部は、上記個人情報管理部から送信された履歴情報を受信する
ことを特徴とする請求の範囲第１０項記載の情報表示システム。
【請求項１４】
互いに通信可能な情報端末とサーバとによる情報表示方法において、
上記情報端末または上記サーバが互いに異なる複数の通信手段による通信の履歴情報を記録し保持する工程と、
上記情報端末または上記サーバが上記履歴情報に対する処理状況を示す履歴関連情報を記録し保持する工程と、
上記情報端末が、互いに異なる複数の通信手段による通信の履歴情報を一緒の画面に表示すると共に、上記履歴関連情報に基づき、上記履歴情報とその履歴情報に対する処理状況とを関連付けて表示する工程と
を備えたことを特徴とする情報表示方法。
【発明の詳細な説明】
【技術分野】
【０００１】
この発明は、音声通話、電子メールなどの通信の履歴情報を表示する情報端末、サーバ、情報表示システムおよび情報表示方法に関するものである。
【背景技術】
【０００２】
従来、携帯電話などの情報端末においては、受信、送信したメール、着信、発信した通話履歴、留守電などの通信の履歴情報を画面に表示することにより、利用者はこれらの履歴情報を確認したうえで、各種操作を行うことができる。
【０００３】
第１図は、例えば、特許文献１に示された電子メール装置より類推した従来の情報端末の構成を示すブロック図である。第１図において、ｌ１は電話回線による発着信の制御を行う電話回線制御部、１２は電子メールの送受信を行うメール送受信部である。
【０００４】
１３は電話を着信したときの相手の電話番号、日時などの電話の着信履歴を記録し保持する着信履歴管理部、１４は電話を発信したときの相手の電話番号、日時などの電話の発信履歴を記録し保持する発信履歴管理部、１５はメールを受信したときの相手のメールアドレス、日時などのメールの受信履歴を記録し保持するメール受信管理部、１６はメールを送信したときの相手のメールアドレス、日時などのメールの送信履歴を記録し保持するメール送信管理部、１７は電話を着信して留守番電話に録音されたときの相手の電話番号、日時などの留守録履歴を記録し保持する留守録管理部である。
【０００５】
２０は通信相手の個人の個人名と当該通信相手の通信アドレスとが記録された個人アドレス帳、２１は個人アドレス帳２０を検索するアドレス帳検索部、２４は受信メールを一覧表示する受信メール一覧表示部である。
【０００６】
次に動作について説明する。
第２図は第１図の受信メール一覧表示部２４により表示されている受信メール一覧画面４の一例である。
【０００７】
この従来技術によれば、利用者が表示されている受信メールのいずれかを選択し、第２図の受信メール一覧画面４に表示された「発信元と対話」を選択すると、アドレス帳検索部２１が個人アドレス帳２０からそのメールアドレスに対応する電話番号を検索し、電話回線制御部１１がその電話番号に自動発信する。これにより、利用者は簡単な操作のみで受信メールの発信元に対し電話で返事をすることができる。
【０００８】
【特許文献１】
特開平１１−１７７３４号公報
【発明の開示】
【発明が解決しようとする課題】
【０００９】
従来の情報端末は、以上のように構成されているので、受信メール一覧画面４から操作して相手に電話で返信することはできたが、その受信メールに対して返信したという情報は記録されていないため、受信メールに対して処理（返信）が済んでいるか、未処理なのかがわからないという課題があった。
【００１０】
また、それぞれの受信履歴、発信履歴などが別々の画面に表示されるので、互いに異なる複数の通信手段で通信が行われる場合、それぞれの通信手段に対応した複数の画面を表示させないと、すべての履歴が見られないという課題があった。さらに、それぞれの履歴の関連がわからないという課題があった。
【００１１】
この発明は上記のような課題を解決するためになされたもので、受信メール、送信メール、着信履歴（電話）、発信履歴（電話）などに対する処理をしたかどうかが、ひとめでわかるように通信の履歴情報を表示すると共に、各履歴情報の関連がひとめでわかるようにし、履歴情報の管理を効率的にできる情報端末、サーバ、情報表示システムおよび情報表示方法を得ることを目的とする。
【課題を解決するための手段】
【発明の効果】
【００１２】
この発明に係る情報端末は、互いに異なる複数の通信手段による通信の履歴情報を記録し保持する履歴管理部と、上記履歴管理部に保持された履歴情報に対する処理状況を示す履歴関連情報を記録し保持する情報管理テーブルと、互いに異なる複数の通信手段による通信の履歴情報を一緒の画面に表示すると共に、上記情報管理テーブルに保持された履歴関連情報に基づき、上記履歴情報とその履歴情報に対する処理状況とを関連付けて表示する情報履歴一覧表示部とを備えたものである。
このことにより、利用者は履歴情報に対して処理を行ったかどうかについて、複数の画面を表示せずに、複数の通信手段による履歴情報をひとめで確認することができ、履歴情報の管理を効率的にできるようになるという効果がある。
【００１３】
この発明に係る情報端末は、情報管理テーブルが、履歴関連情報として、履歴管理部に保持された履歴情報間の関連を記録し保持し、情報履歴一覧表示部が、上記情報管理テーブルに保持された履歴関連情報に基づき、上記履歴情報とその履歴情報に対する履歴情報とを関連付けて表示するものである。
このことにより、利用者は履歴情報に対してどのような処理を行ったかどうかをひとめで確認することができ、履歴情報の管理を効率的にできるようになるという効果がある。
【００１４】
この発明に係る情報端末は、通信相手の個人名と上記通信相手の通信アドレスとを記録した個人アドレス帳と、上記個人アドレス帳を検索するアドレス帳検索部とを備え、情報履歴一覧表示部は、上記アドレス帳検索部による上記個人アドレス帳の検索結果に基づき、履歴管理部に保持されている履歴情報に含まれる通信アドレスを個人名に置き換えて表示するものである。
このことにより、利用者は異なる通信手段によって通信を行った通信相手を統一した個人名で容易に確認することができ、履歴情報の管理を効率的にできるようになるという効果がある。
【００１５】
この発明に係る情報端末は、サーバが保持している、互いに異なる複数の通信手段による通信の履歴情報と、上記履歴情報に対する処理状況を示す履歴関連情報とを受信し、互いに異なる複数の通信手段による通信の履歴情報を一緒の画面に表示すると共に、受信した履歴関連情報に基づき、受信した履歴情報とその履歴情報に対する処理状況とを関連付けて表示する情報履歴一覧表示部とを備えたものである。
このことにより、利用者は履歴情報に対して処理を行ったかどうかについて、複数の画面を表示せずに、複数の通信手段による履歴情報をひとめで確認することができ、履歴情報の管理を効率的にできるようになるという効果がある。
【００１６】
この発明に係るサーバは、互いに異なる複数の通信手段による通信の履歴情報を記録し保持する履歴管理部と、上記履歴管理部に保持された履歴情報に対する処理状況を示す履歴関連情報を記録し保持する情報管理テーブルと、互いに異なる複数の通信手段による通信の履歴情報を一緒の画面に表示すると共に上記履歴情報とその履歴情報に対する処理状況とを関連付けて表示する情報端末からの要求に基づき、上記履歴管理部に保持された履歴情報と、上記情報管理テーブルに保持された履歴関連情報を上記情報端末に送信する個人情報管理部とを備えたものである。
このことにより、利用者は履歴情報に対して処理を行ったかどうかについて、複数の画面を表示せずに、複数の通信手段による履歴情報をひとめで確認することができ、履歴情報の管理を効率的にできるようになるという効果がある。
【００１７】
この発明に係る情報端末は、互いに異なる複数の通信手段による通信の履歴情報を記録し保持する履歴管理部と、サーバが保持している、上記履歴情報に対する処理状況を示す履歴関連情報を受信し、互いに異なる複数の通信手段による通信の履歴情報を一緒の画面に表示すると共に、上記受信した履歴関連情報に基づき、上記履歴情報とその履歴情報に対する処理状況とを関連付けて表示する情報履歴一覧表示部とを備えたものである。
このことにより、利用者は履歴情報に対して処理を行ったかどうかについて、複数の画面を表示せずに、複数の通信手段による履歴情報をひとめで確認することができ、履歴情報の管理を効率的にできるようになるという効果がある。
【００１８】
この発明に係るサーバは、互いに異なる複数の通信手段による通信の履歴情報に対する処理状況を示す履歴関連情報を記録し保持する情報管理テーブルと、互いに異なる複数の通信手段による通信の履歴情報を一緒の画面に表示すると共に上記履歴情報とその履歴情報に対する処理状況とを関連付けて表示する情報端末からの要求に基づき、上記情報管理テーブルに保持された履歴関連情報を上記情報端末に送信する個人情報管理部とを備えたものである。
このことにより、利用者は履歴情報に対して処理を行ったかどうかについて、複数の画面を表示せずに、複数の通信手段による履歴情報をひとめで確認することができ、履歴情報の管理を効率的にできるようになるという効果がある。
【００１９】
この発明に係る情報端末は、サーバが保持している互いに異なる複数の通信手段による通信の履歴情報に対する処理状況を示す履歴関連情報を記録し保持する情報管理テーブルと、上記サーバが保持している通信の履歴情報を受信し、互いに異なる複数の通信手段による通信の履歴情報を一緒の画面に表示すると共に、上記情報管理テーブルに保持された履歴関連情報に基づき、受信した履歴情報とその履歴情報に対する処理状況とを関連付けて表示する情報履歴一覧表示部とを備えたものである。
このことにより、利用者は履歴情報に対して処理を行ったかどうかについて、複数の画面を表示せずに、複数の通信手段による履歴情報をひとめで確認することができ、履歴情報の管理を効率的にできるようになるという効果がある。
【００２０】
この発明に係るサーバは、互いに異なる複数の通信手段による通信の履歴情報を記録し保持する履歴管理部と、互いに異なる複数の通信手段による通信の履歴情報を一緒の画面に表示すると共に上記履歴情報とその履歴情報に対する処理状況とを関連付けて表示する情報端末からの要求に基づき、上記履歴管理部に保持された履歴情報を上記情報端末に送信する個人情報管理部とを備えたものである。
このことにより、利用者は履歴情報に対して処理を行ったかどうかについて、複数の画面を表示せずに、複数の通信手段による履歴情報をひとめで確認することができ、履歴情報の管理を効率的にできるようになるという効果がある。
【００２１】
この発明に係る情報表示システムは、互いに通信可能な情報端末とサーバとで構成されたものにおいて、互いに異なる複数の通信手段による通信の履歴情報を記録し保持する履歴管理部と、上記履歴管理部に保持された履歴情報に対する処理状況を示す履歴関連情報を記録し保持する情報管理テーブルと、互いに異なる複数の通信手段による通信の履歴情報を一緒の画面に表示すると共に、上記情報管理テーブルに保持された履歴関連情報に基づき、上記履歴情報とその履歴情報に対する処理状況とを関連付けて表示する情報履歴一覧表示部とを備えたものである。
このことにより、利用者は履歴情報に対して処理を行ったかどうかについて、複数の画面を表示せずに、複数の通信手段による履歴情報をひとめで確認することができ、履歴情報の管理を効率的にできるようになるという効果がある。
【００２２】
この発明に係る情報表示システムは、サーバが、履歴管理部および情報管理テーブルを備えると共に、上記履歴管理部に保持された履歴情報および上記情報管理テーブルに保持された履歴関連情報を情報端末に送信する個人情報管理部を備え、上記情報端末は情報履歴一覧表示部を備え、上記情報履歴一覧表示部は、上記個人情報管理部から送信された履歴情報および履歴関連情報を受信するものである。
このことにより、サーバで履歴情報を一括管理できるので、記憶容量の小さい携帯電話端末など情報端末に多量の情報を保存する必要がなく、情報記憶容量が増えても問題なく対応できるという効果がある。また、利用者のサービス利用度がサーバ側で把握でき、当該サーバを管理する携帯電話などのキャリアやサービスプロバイダが利用度に応じて課金したり、新しいサービスを開発するためのデータを取得することができるという効果がある。さらに、利用者が、情報端末である携帯端末にきたメールに対して、別の情報端末であるパソコンからメールで返事したような場合でも、同じプロバイダと契約していれば、そのプロパイダが管理するサーバ側で関連付けて情報管理し、一覧表示することができるという効果がある。さらに、一般の電話から返事した場合でも、その電話番号と同じくサーバ側で携帯電話の電話番号とリンクさせておけば、情報一覧が可能となるという効果がある。
【００２３】
この発明に係る情報表示システムは、サーバが、情報管理テーブルを備えると共に、上記情報管理テーブルに保持された履歴関連情報を情報端末に送信する個人情報管理部を備え、上記情報端末は履歴管理部および情報履歴一覧表示部を備え、上記情報履歴一覧表示部は、上記個人情報管理部から送信された履歴関連情報を受信するものである。
このことにより、サーバ側ですべてのデータを持つ場合に比べて、大部分のデータは情報端末で保持するので、保持したデータの閲覧や編集がサーバと通信することなく高速に行える上、サーバ側で情報管理テーブルを持つので、プロパイダなどのサービスと連携したサービスを行うことも可能となるという効果がある。
【００２４】
この発明に係る情報表示システムは、サーバが、履歴管理部を備えると共に、上記履歴管理部に保持された履歴情報を情報端末に送信する個人情報管理部を備え、上記情報端末は情報管理テーブルおよび情報履歴一覧表示部を備え、上記情報履歴一覧表示部は、上記個人情報管理部から送信された履歴情報を受信するものである。
このことにより、履歴関連情報を情報端末で保持しているので、それらの関連づけや関連の修正が情報端末だけで高速に行え、無駄な通信の発生を抑えることができるという効果がある。また、履歴情報はサーバで保持するので、記憶容量の小さい情報端末に多量の情報を保存する必要がなく、情報記憶容量が増えても問題なく対応できるという効果がある。さらに、利用者のサービス利用度がサーバ側で把握でき、当該サーバを管理する携帯電話などのキャリアやサービスプロバイダが利用度に応じて課金したり、新しいサービスを開発するためのデータを取得することもできるという効果がある。
【００２５】
この発明に係る情報表示方法は、互いに通信可能な情報端末とサーバとによるものにおいて、上記情報端末または上記サーバが互いに異なる複数の通信手段による通信の履歴情報を記録し保持する工程と、上記情報端末または上記サーバが上記履歴情報に対する処理状況を示す履歴関連情報を記録し保持する工程と、上記情報端末が、互いに異なる複数の通信手段による通信の履歴情報を一緒の画面に表示すると共に、上記履歴関連情報に基づき、上記履歴情報とその履歴情報に対する処理状況とを関連付けて表示する工程とを備えたものである。
このことにより、利用者は履歴情報に対して処理を行ったかどうかについて、複数の画面を表示せずに、複数の通信手段による履歴情報をひとめで確認することができ、履歴情報の管理を効率的にできるようになるという効果がある。
【発明を実施するための最良の形態】
【００２６】
以下、この発明をより詳細に説明するために、この発明を実施するための最良の形態について、添付の図面に従って説明する。
実施の形態１．
第３図は、この発明の実施の形態１による情報端末の構成を示すブロック図である。第３図において、１は通信機能を持つ情報端末であり、ここでは、メール送信、メール受信、電話の発信、電話の着信、留守番電話の録音、ＷＷＷ（Ｗｏｒｌｄ  Ｗｉｄｅ  Ｗｅｂ）接続の複数の通信手段により通信可能な携帯電話、ＰＨＳ（Ｐｅｒｓｏｎａｌ  Ｈａｎｄｙ−ｐｈｏｎｅ  Ｓｙｓｔｅｍ）などの情報端末である。
【００２７】
ｌ１はこの情報端末１の電話回線による発着信の制御を行う電話回線制御部で、ここでは、電話の発着信、留守番電話の録音、ＷＷＷ接続を制御する。
１２はこの情報端末１の電子メールの送受信を行うメール送受信部である。
１３は電話を着信したときの相手の電話番号、日時などの電話の着信履歴を、通信の履歴情報として記録し保持する着信履歴管理部である。
１４は電話を発信したときの相手の電話番号、日時などの電話の発信履歴を、通信の履歴情報として記録し保持する発信履歴管理部である。
【００２８】
１５はメールを受信したときの相手のメールアドレス、日時などのメールの受信履歴を、通信の履歴情報として記録し保持するメール受信管理部である。
１６はメールを送信したときの相手のメールアドレス、日時などのメールの送信履歴を、通信の履歴情報として記録し保持するメール送信管理部である。
１７は電話を着信して留守番電話に録音されたときの相手の電話番号、日時などの留守録履歴を、通信の履歴情報として記録し保持する留守録管理部である。
１８はＷＷＷから情報を取得したときの情報の種別（ニュース、天気など）、日時などのＷＷＷ取得履歴を、通信の履歴情報として記録し保持するＷＷＷ取得データ管理部である。
【００２９】
この実施の形態においては、各通信手段の通信の履歴情報を記録し保持する履歴管理部１０は、着信履歴管理部１３，発信履歴管理部１４，メール受信管理部１５，メール送信管理部１６，留守録管理部１７，ＷＷＷ取得データ管理部１８で構成され、複数の通信手段毎にそれぞれの履歴情報が記録され保持される。
【００３０】
１９は着信履歴管理部１３，発信履歴管理部１４，メール受信管理部１５，メール送信管理部１６，留守録管理部１７，ＷＷＷ取得データ管理部１８のそれぞれに保持されている履歴情報に対する処理状況を示す履歴関連情報を記録し保持する情報管理テーブルである。また、この情報管理テーブル１９は、ある履歴情報に対する処理として返信などの通信が行われた場合には、その履歴情報と返信などの通信による履歴情報との関連を、すなわち履歴情報間の関連を、履歴関連情報として記録し保持するように構成されている。
【００３１】
２０は通信相手の個人の個人名と当該通信相手の通信アドレスとが記録された個人アドレス帳であり、ここでは、通信アドレスとして、メールに対応したメールアドレス、電話に対応した電話番号が記録されている。
２１は個人アドレス帳２０を検索するアドレス帳検索部である。
【００３２】
２２は、情報管理テーブル１９に記録された履歴関連情報に基づき、履歴情報と、その履歴情報に対する処理状況とを関連付けて表示する情報履歴一覧表示部である。また、この情報履歴一覧表示部２２は、ある履歴情報として通信が行われ、情報管理テーブル１９に、履歴関連情報として履歴情報間の関連が記録されている場合には、その履歴関連情報に基づいて、履歴情報とその履歴情報に対する履歴情報とを関連付けて表示するように構成されている。
【００３３】
また、情報履歴一覧表示部２２は、互いに異なる複数の通信手段による通信の履歴情報を一緒に表示するように構成されていると共に、アドレス帳検索部２１の検索結果に基づいて、上記履歴情報に含まれる通信アドレスを個人名に置き換えて表示するように構成されている。
【００３４】
第４図は、この発明の実施の形態１において、情報履歴一覧表示部２２により表示された履歴表示画面２２０の一例を示す説明図である。第５図は、この発明の実施の形態１において、履歴表示画面２２０でいずれかの項目を選択したときに表示された履歴操作メニュー２２８の一例を示す説明図である。第６図は、この発明の実施の形態１の構成要素の一つである、情報管理テーブル１９に記録された履歴関連情報の一例を示す説明図であり、第４図の例に対応している。第７図は、この発明の実施の形態１の構成要素の一つである、個人アドレス帳２０に記録された通信アドレスの一例を示す説明図である。
【００３５】
次に情報表示方法としての動作について説明する。
まず、利用者はあらかじめ、個人アドレス帳２０に個人名と、メールアドレスおよび電話番号の通信アドレスとを登録しておく。
【００３６】
情報端末１が電話を着信すると、着信履歴管理部１３が相手の電話番号、日時などの必要なデータを履歴情報として記録する。また、電話を発信すると、発信履歴管理部１４が相手の電話番号、日時などの必要なデータを履歴情報として記録する。さらに、メールを受信すると、メール受信管理部１５が相手のメールアドレス、日時などの必要なデータを履歴情報として記録する。さらに、メールを送信すると、メール送信管理部１６が相手のメールアドレス、日時などの必要なデータを履歴情報として記録する。
【００３７】
さらに、電話を着信したときに、利用者が応答せずに留守番電話に録音されると、留守録管理部１７が相手の電話番号、日時などと共に、録音されたメッセージを履歴情報として記録する。さらに、ＷＷＷから情報を取得すると、ＷＷＷ取得データ管理部１８が情報の種別（ニュース、天気など）、日時などの必要なデータを履歴情報として記録する。
【００３８】
このようにして、電話の発着信、メールの送受信、留守番電話、ＷＷＷ接続などの通信手段により通信が行われると、情報管理テーブル１９は、これらの履歴情報に対する処理状況を示す履歴関連情報を記録する。また、ある履歴情報に対する処理として返信などの通信が行われた場合には、履歴関連情報として履歴情報間の関連を記録する。
【００３９】
例えば、第６図において、１９１の項目は、着信履歴の１番のデータが発信履歴１番のデータと関連していることを表している。同様に、１９２は受信メール１に対して未処理であることを、１９３は留守録１に対して送信メール２で回答したことを、１９４は送信したメール１に対する回答が受信メール２であることを、１９５はＷＷＷ取得データ１を送信メール３で転送したことを、１９６は着信履歴２に対する回答が不要であることを、１９７は受信メール２が未読であることを、それぞれ表している。このように、情報管理テーブル１９は、履歴関連情報として、履歴情報に対する処理状況を記録し保持すると共に、ある履歴情報に対する処理として、返信などの通信が行われた場合には、履歴情報間の関連も記録し保持している。
【００４０】
そして、利用者が情報一覧表示の操作をすると、情報履歴一覧表示部２２は、第４図の履歴表示画面２２０に示すように、この情報管理テーブル１９に記録された履歴関連情報と、履歴管理部１０に記録された履歴情報と、アドレス帳検索部２１が個人アドレス帳２０を検索した結果に基づいて、履歴情報と、その履歴情報に対する処理状況とを関連付けて表示すると共に、その履歴情報に対する処理として返信などの通信が行われ、情報管理テーブル１９に、履歴関連情報として履歴情報間の関連が記録されている場合には、その履歴関連情報に基づいて、履歴情報とその履歴情報に対する履歴情報とを関連付けて表示する。
【００４１】
このように、履歴情報とその履歴情報に対する処理状況とを関連付けて表示することにより、利用者は履歴情報に対して処理を行ったかどうかをひとめで確認することができる。また、履歴情報とその履歴情報に対する履歴情報とを関連付けて表示することにより、利用者はある履歴情報に対してどのような処理を行ったかをひとめで確認することができる。さらに、互いに異なる通信手段による履歴情報を別々の画面に表示せずに、一緒の画面に表示することにより、利用者は複数の通信手段による履歴情報をひとめで確認することができる。さらに、通信アドレスを個人名に置き換え、異なる通信手段により通信を行った通信相手を統一した個人名で表示することにより、利用者は容易に通信相手を確認することができる。
【００４２】
次に、情報管理テーブル１９に履歴関連情報を記録し、情報履歴一覧表示部２２がその履歴関連情報に基づいて表示する際の動作の詳細を説明する。
第８図〜第１３図は、上記動作の説明に供する説明図である。第８図は着信履歴管理部１３に記録された内容を示す。第９図および第１２図は情報管理テーブル１９に記録された内容を示す。第１０図および第１３図は情報履歴一覧表示部２２に表示された内容を示す。第１１図は発信履歴管理部１４に記録された内容を示す。
【００４３】
情報管理テーブル１９において、各履歴情報間を関連付ける方法として、利用者が第５図に示す履歴操作メニュー２２８から操作してメール返信、電話で返事などの操作をする場合は、各履歴情報を自動的に関連付けることができる。
【００４４】
例えば、情報端末１が電話を着信すると、第８図に示すように、着信履歴管理部１３は、その着信（着ＴＥＬ１）の電話番号（０９００１２３４５６７），日時（６／５  １０：２７）の電話の着信履歴を履歴情報として記録する。すると、第９図に示すように、情報管理テーブル１９は、上記着信（着ＴＥＬ１）に対応する処理状況（未）を示す履歴関連情報を「着ＴＥＬ１  未」と記録する。また、アドレス帳検索部２１は、第７図に示す個人アドレス帳２０から上記電話番号（０９００１２３４５６７）に対応する名前（泊）を検索する。そして、情報履歴一覧表示部２２は、この検索結果、第８図に示す着信履歴管理部１３の記録内容および第９図に示す情報管理テーブル１９の内容に基づいて、第１０図に示すように、履歴表示画面として、上記着信（着ＴＥＬ１）の履歴情報「着ＴＥＬ１  ６／５  １０：２７  泊」とその履歴情報に対する処理状況「未」とを関連付けて表示する。
【００４５】
ここで、利用者が第５図に示す履歴操作メニュー２２８から操作して電話で返事の操作をすると、アドレス帳検索部２１が名前（泊）に対応する電話番号（０９００１２３４５６７）を検索し、当該電話番号（０９００１２３４５６７）に基づいて、電話回線制御部１１が発信の制御を行い、利用者は、上記着信（着ＴＥＬ１）の相手に電話で返事をすることができる。
【００４６】
その後、このように履歴操作メニュー２２８から操作して情報端末１から発信が行われると、第１１図に示すように、発信履歴管理部１４は、その発信（発ＴＥＬ１）の電話番号（０９００１２３４５６７）、日時（６／５  １２：５１）の電話の発信履歴を、履歴情報として記録する。また、第１２図に示すように、情報管理テーブル１９は、履歴関連情報として、上記着信（着ＴＥＬ１）に関連する履歴情報は上記発信（発ＴＥＬ１）であると記録する。そして、第８図に示す着信履歴管理部１３の記録内容、第１１図に示す発信履歴管理部１４の記録内容、アドレス帳検索部２１の検索結果および第１２図に示す情報管理テーブル１９の内容に基づいて、情報履歴一覧表示部２２は、第１３図に示すように、履歴表示画面として、上記着信（着ＴＥＬ１）の履歴情報「着ＴＥＬ１  ６／５  １０：２７  泊」と、その処理状況「６／５  ＴＥＬ済」とを表示する。すなわち、履歴情報「着ＴＥＬ１  ６／５  １０：２７  泊」と履歴情報「発ＴＥＬ１  ０９００１２３４５６７  ６／５  １２：５１」とを関連付けて表示する。
【００４７】
このように、利用者が第５図に示す履歴操作メニュー２２８から操作してメール返信、電話で返事などの操作をする場合は、この操作に基づいて各履歴情報は自動的に関連付けられる。
【００４８】
また、例えば、着信（着ＴＥＬ２）に対する回答が不要な場合であっても、利用者が第５図に示す履歴操作メニュー２２８から「処理不要」を選択すれば、この操作に基づいて、情報管理テーブル１９は、上記着信（着ＴＥＬ２）に対応する処理状況（処理不要）を示す履歴関連情報を「着ＴＥＬ２  処理不要」と記録する。これにより、情報履歴一覧表示部２２によって、上記と同様に、第４図の２２６のように「着ＴＥＬ２  ６／１６  ２０：０２  中  処理不要」と表示される。
【００４９】
また、このように、第５図に示す履歴操作メニュー２２８による利用者の操作で関連付けができない場合は、利用者は、このメニューから「関連付け」を選択して手動で関連付けられる。
【００５０】
例えば、相手が通常と違うところにいるとき、利用者は、着信に対して、別の番号に発信または別のメールアドレスに送信することがある。このようなとき、それぞれの履歴は関連付けられずに別々に記録され、表示されている。この場合、利用者が元の履歴情報（着信）を選択して履歴操作メニュー２２８から「関連付け」を選択し、次に関連付けたい履歴情報（発信または送信）を選択すれば、この操作に基づいて、情報管理テーブル１９は、上記履歴情報（着信）に対応する履歴情報は上記履歴情報（発信または送信）であると関連付けて記録する。このようにして、手動で関連付けることができる。
【００５１】
以上のように、この実施の形態１によれば、履歴情報とその履歴情報に対する処理状況とを関連付けて表示することにより、利用者は履歴情報に対して処理を行ったかどうかをひとめで確認することができ、履歴情報の管理を効率的にできるという効果が得られる。
【００５２】
また、この実施の形態１によれば、履歴情報とその履歴情報に対する履歴情報とを関連付けて表示することにより、利用者はある履歴情報に対してどのような処理を行ったかをひとめで確認することができ、履歴情報の管理を効率的にできるという効果が得られる。
【００５３】
さらに、この実施の形態１によれば、互いに異なる通信手段による履歴情報を別々の画面に表示せずに、一緒の画面に表示することにより、利用者は複数の通信手段による履歴情報をひとめで確認することができ、履歴情報の管理を効率的にできるという効果が得られる。
【００５４】
さらに、この実施の形態１によれば、通信アドレスを個人名に置き換え、異なる通信手段によって通信を行った通信相手を統一した個人名で表示することにより、容易に通信相手を確認することができ、履歴情報の管理を効率的にできるという効果が得られる。
【００５５】
なお、この実施の形態では、通信機能を内蔵した情報端末の例を示したが、携帯電話やＰＨＳなどを別に用意して、情報端末に接続して使用する場合にも適用可能である。
【００５６】
また、履歴関連情報として、未処理の履歴情報にプライオリティを付けられるようにして、情報履歴一覧表示部２２は、その順序に並べ替えたり、色分けして表示したりすることにより、わかりやすく使いやすくすることができる。
【００５７】
さらに、一定時間、例えば１週間たっても返事しなかった場合、すなわち、受信または着信の履歴情報に対応する履歴関連情報が未である期間が１週間経過した場合、利用者に対して返事したかどうか確認、催促する機能を付ければ、さらに使いやすくなる。
さらに、個人アドレス帳に、あらかじめ相手によって返信媒体（通信手段）、返信アドレス、電話番号を登録しておくことで、相手の希望する通信手段を自動的に情報端末１が判断して、返信を行うようにしてもよい。さらに、曜日や時間帯に応じて、返信先を変えられるようにしてもよい。
【００５８】
例えば相手の自宅から電話がかかってきた場合でも、返事は携帯電話にしたり、また、平日の昼間の場合には、会社のアドレス宛てにメールで返信することにより、さらに使いやすくできる。
【００５９】
さらに、履歴操作メニューから操作しなくても、相手によって着信した電話やメールを、自動的に転送する機能を付けることもできる。例えば、会議中、仕事中などに電話に出たくない相手、すぐに対応しなくてもよい相手の場合は、個人アドレス帳にあらかじめ登録しておき、情報端末１以外の設定先のメディア（会社のメール、自宅の留守番電話など）に転送することにより、さらに使い勝手がよくなる。
【００６０】
実施の形態２．
上記実施の形態１は、履歴管理部１０，情報管理テーブル１９，個人アドレス帳２０などを情報端末１に設けたものであるが、この実施の形態２は、履歴管理部１０，情報管理テーブル１９，個人アドレス帳２０などをサーバに設け、そのサーバと通信可能な情報端末１で履歴情報一覧を表示するものである。
【００６１】
第１４図はこの発明の実施の形態２による情報表示システムの構成を示すブロック図である。第１４図において、２は情報端末１と通信を行うサーバ、２３はサーバ２内に設置された個人情報管理部であり、第１図と同一または相当部分に同一符号を付して説明を省略する。第１４図に示すように、本実施の形態においては、互いに通信可能な情報端末１とサーバ２で情報表示システムを構成する。
【００６２】
サーバ２における個人情報管理部２３は、情報端末１の利用者を特定して当該利用者に対応した履歴管理部１０に保持された各履歴情報および情報管理テーブル１９に保持された履歴関連情報を情報端末１に送信する。また、個人情報管理部２３は、アドレス帳検索部２１の検索結果も情報端末１に送信するように構成されている。
【００６３】
情報端末１における情報履歴一覧表示部２２は、サーバ２に設けられた個人情報管理部２３から送信された履歴情報および履歴関連情報を受信するように構成されている。また、情報履歴一覧表示部２２は、アドレス帳検索部２１の検索結果も受信するように構成されている。
【００６４】
次に情報表示方法としての動作について説明する。
第１４図において、情報端末１の利用者が各通信手段により通信を行うと、各履歴情報はサーバ２に設けられた履歴管理部１０に記録される。また、各履歴情報に対する処理状況を示す履歴関連情報は、サーバ２に設けられた情報管理テーブル１９に記録される。
【００６５】
利用者が情報一覧表示の操作をすると、情報端末１に設けられた情報履歴一覧表示部２２は、サーバ２と通信を行い、サーバ２にある履歴管理部１０の各履歴情報、アドレス帳検索部２１の検索結果、情報管理テーブル１９に記録された履歴関連情報を、個人情報管理部２３を介して受信する。そして、受信した各情報に基づいて、情報履歴一覧表示部２２が履歴表示画面の表示を行う。これにより、情報端末１の利用者は履歴情報を確認することができる。
【００６６】
利用者の操作は、上記実施の形態１の場合と全く同じであり、例えば、情報履歴一覧画面の履歴操作メニュー２２８を操作することにより、必要に応じて、情報端末１に設けられた情報履歴一覧表示部２２が、サーバ２の個人情報管理部２３と通信を行い、利用者は、実施の形態１と同様にして、メール送信、電話発信などを行うことができる。そして、この履歴情報および履歴関連情報は、すべてサーバ２に記録される。
【００６７】
以上のように、この実施の形態２によれば、履歴管理部１０，情報管理テーブル１９，個人アドレス帳２０をサーバ２に設け、そのサーバ２と通信可能な情報端末１に情報履歴一覧表示部２２を設けたことにより、サーバ２で各履歴情報を一括管理できるので、記憶容量の小さい携帯端末１に多量の情報を保存する必要がなく、情報記憶容量が増えても問題なく対応できるという効果が得られる。
【００６８】
また、この実施の形態２によれば、履歴管理部１０をサーバ２に設けたことにより、利用者のサービス利用度がサーバ２で把握でき、当該サーバ２を管理する携帯電話などのキャリアやサービスプロバイダが利用度に応じて課金したり、新しいサービスを開発するためのデータを取得することができるという効果が得られる。
【００６９】
さらに、この実施の形態２によれば、履歴管理部１０，情報管理テーブル１９をサーバ２に設けたことにより、利用者が、情報端末１にきたメールに対して、別の情報端末であるパソコンからメールで返事したような場合でも、同じプロパイダと契約していれば、そのブロパイダが管理するサーバ２側で関連付けて情報管理し、一覧表示することも可能となるという効果が得られる。さらに、一般の電話から返事した場合でも、サーバ２側で、その一般の電話番号を、情報端末１の電話番号とリンクさせておけば、情報一覧が可能となるという効果が得られる。
【００７０】
実施の形態３．
上記実施の形態２は、履歴管理部１０，情報管理テーブル１９，個人アドレス帳２０などをサーバ２に設け、そのサーバ２と通信可能な情報端末１で履歴情報一覧を表示するものであるが、この実施の形態３は、情報管理テーブル１９をサーバ２に設け、そのサーバ２と通信可能な情報端末１に履歴管理部１０，個人アドレス帳２０などを設け、情報端末１で履歴情報一覧を表示するものである。
【００７１】
第１５図はこの発明の実施の形態３による情報表示システムの構成を示すブロック図である。第１５図において、第１４図と同一または相当部分に同一符号を付して説明を省略する。第１５図に示すように、本実施の形態においては、互いに通信可能な情報端末１とサーバ２で情報表示システムを構成する。
【００７２】
この実施の形態においては、サーバ２の個人情報管理部２３は、情報管理テーブル１９に保持された履歴関連情報を情報端末１に送信するように構成されている。また、情報端末１の情報履歴一覧表示部２２は、サーバ２に設けられた個人情報管理部２３から送信された履歴関連情報を受信するように構成されている。
【００７３】
次に情報表示方法としての動作について説明する。
第１５図において、情報端末１の利用者が各通信手段により通信を行うと、各履歴情報は情報端末１に設けられた履歴管理部１０に記録される。また、各履歴情報に対する処理状況を示す履歴関連情報は、サーバ２に設けられた情報管理テーブル１９に記録される。
【００７４】
利用者が情報一覧表示の操作をすると、情報端末１に設けられた情報履歴一覧表示部２２は、サーバ２と通信を行い、サーバ２にある情報管理テーブル１９に記録された履歴関連情報を、個人情報管理部２３を介して受信する。そして、情報端末１に設けられた履歴管理部１０の各種履歴情報、個人アドレス帳２０の情報、および、サーバ２から受信した履歴関連情報に基づいて、履歴表示画面の表示を行う。これにより、情報端末１の利用者は履歴情報を確認することができる。
【００７５】
利用者の操作は、上記実施の形態１の場合と全く同じであり、例えば、情報履歴一覧画面の履歴操作メニュー２２８を操作することにより、必要に応じて、情報端末１に設けられた情報履歴一覧表示部２２が、サーバ２の個人情報管理部２３と通信を行い、利用者は、上記実施の形態１と同様に、メール送信、電話発信などを行うことができる。そして、この履歴情報は情報端末１の履歴管理部１０に記録され、履歴関連情報はサーバ２の情報管理テーブル１９に記録される。
【００７６】
以上のように、この実施の形態３によれば、情報管理テーブル１９をサーバ２に設け、そのサーバ２と通信可能な情報端末１に履歴管理部１０，個人アドレス帳２０，情報履歴一覧表示部２２を設けたことにより、サーバ２側ですべてのデータを持つ場合に比べて、例えば、実施の形態１の情報端末１の方式と同様に、大部分のデータを情報端末１で保持するので、保持したデータの閲覧や編集がサーバ２と通信することなく高速に行えるという効果が得られる。また、サーバ２側で情報管理テーブル１９を持つので、プロバイダなどのサービスと連携したサービスを行うことができるという効果が得られる。
【００７７】
実施の形態４．
上記実施の形態３は、情報管理テーブル１９をサーバ２に設け、そのサーバ２と通信可能な情報端末１に、履歴管理部１０，個人アドレス帳２０などを設け、情報端末１で履歴情報一覧を表示するものであるが、この実施の形態４は、履歴管理部１０，個人アドレス帳２０をサーバ２に設け、そのサーバ２と通信可能な情報端末１に情報管理テーブル１９を設け、情報端末１で履歴情報一覧を表示するものである。
【００７８】
第１６図はこの発明の実施の形態４による情報表示システムの構成を示すブロック図である。第１６図において、上記第１４図と同一または相当部分に同一符号を付して説明を省略する。第１６図に示すように、本実施の形態においては、互いに通信可能な情報端末１とサーバ２で情報表示システムを構成する。
【００７９】
この実施の形態においては、サーバ２の個人情報管理部２３は、履歴管理部１０に保持された各履歴情報およびアドレス帳検索部２１の検索結果を情報端末１に送信するように構成されている。また、情報端末１の情報履歴一覧表示部２２は、サーバ２に設けられた個人情報管理部２３から各履歴情報および検索結果を受信するように構成されている。
【００８０】
次に情報表示方法としての動作について説明する。
第１４図において、情報端末１の利用者が各通信手段により通信を行うと、各履歴情報はサーバ２に設けられた履歴管理部１０に記録される。また、各履歴情報に対する処理状況を示す履歴関連情報は、情報端末１に設けられた情報管理テーブル１９に記録される。
【００８１】
利用者が情報一覧表示の操作をすると、情報端末１に設けられた情報履歴一覧表示部２２は、情報管理テーブル１９を参照しながら、サーバ２と通信を行い、サーバ２にある、各履歴情報、アドレス帳検索部２１による検索結果を、個人情報管理部２３を介して受信する。そして、情報端末１に設けられた情報管理テーブル１９に記録された履歴関連情報、上記受信した各種履歴情報、検索結果に基づいて、履歴表示画面の表示を行う。これにより、情報端末１の利用者は履歴情報を確認することができる。
【００８２】
利用者の操作は、上記実施の形態１の場合と全く同じであり、例えば、情報履歴一覧画面の履歴操作メニュー２２８を操作することにより、必要に応じて、情報端末１に設けられた情報履歴一覧表示部２２が、サーバ２の個人情報管理部２３と通信を行い、利用者は、上記実施の形態１と同様に、メール送信、電話発信などを行うことができる。そして、この履歴情報はサーバ２の履歴管理部１０に記録され、履歴関連情報は情報端末１の情報管理テーブル１９に記録される。
【００８３】
以上のように、この実施の形態４によれば、履歴管理部１０，個人アドレス帳２０をサーバ２に設け、そのサーバ２と通信可能な情報端末１に情報管理テーブル１９，情報履歴一覧表示部２２を設けたことにより、履歴関連情報を情報端末１で保持しているので、それらの関連付けや関連の修正が情報端末１だけで高速に行え、無駄な通信の発生を抑えることができるという効果が得られる。
【００８４】
また、この実施の形態４によれば、履歴管理部１０をサーバ２に設けたことにより、履歴情報をサーバ２で保持するので、記憶容量の小さい携帯電話端末などの情報端末１に多量の情報を保存する必要がなく、情報記憶容量が増えても問題なく対応できるという効果が得られる。
【００８５】
さらに、この実施の形態４によれば、履歴管理部１０をサーバ２に設けたことにより、利用者のサービス利用度をサーバ２側で把握でき、サーバ２を管理する携帯電話などのキャリアやサービスプロバイダが利用度に応じて課金したり、新しいサービスを開発するためのデータを取得することもできるという効果が得られる。
【産業上の利用可能性】
【００８６】
以上のように、この発明に係る情報端末、サーバ、情報表示システムおよび情報表示方法は、各通信手段による履歴情報と、その履歴情報に対する処理状況とを関連付けて表示すると共に、履歴情報とその履歴情報に対する履歴情報とを関連付けて表示し、履歴情報の管理を効率的に行うものに適している。
【図面の簡単な説明】
【００８７】
【図１】  従来の情報端末の構成を示すブロック図である。
【図２】  従来の情報端末の受信メール一覧画面の一例を示す説明図である。
【図３】  この発明の実施の形態１による情報端末の構成を示すブロック図である。
【図４】  この発明の実施の形態１による情報履歴一覧表示部に表示された履歴表示画面の一例を示す説明図である。
【図５】  この発明の実施の形態１による履歴操作メニューの一例を示す説明図である。
【図６】  この発明の実施の形態１による情報管理テーブルに記録された履歴関連情報の一例を示す説明図である。
【図７】  この発明の実施の形態１による個人アドレス帳に記録された通信アドレスの一例を示す説明図である。
【図８】  この発明の実施の形態１による着信履歴管理部に記録された履歴情報の一例を示す説明図である。
【図９】  この発明の実施の形態１による情報管理テーブルに記録された履歴関連情報の一例を示す説明図である。
【図１０】  この発明の実施の形態１による情報履歴一覧表示部に表示された履歴表示画面の一例を示す説明図である。
【図１１】  この発明の実施の形態１による発信履歴管理部に記録された履歴情報の一例を示す説明図である。
【図１２】  この発明の実施の形態１による情報管理テーブルに記録された履歴関連情報の一例を示す説明図である。
【図１３】  この発明の実施の形態１による情報履歴一覧表示部に表示された履歴表示画面の一例を示す説明図である。
【図１４】  この発明の実施の形態2による情報表示システムの構成を示すブロック図である。
【図１５】  この発明の実施の形態３による情報表示システムの構成を示すブロック図である。
【図１６】  この発明の実施の形態４による情報表示システムの構成を示すブロック図である。
【図１】
0003883869.tif 000002
【図２】
0003883869.tif 000003
【図３】
0003883869.tif 000004
【図４】
0003883869.tif 000005
【図５】
0003883869.tif 000006
【図６】
0003883869.tif 000007
【図７】
0003883869.tif 000008
【図８】
0003883869.tif 000009
【図９】
0003883869.tif 000010
【図１０】
0003883869.tif 000011
【図１１】
0003883869.tif 000012
【図１２】
0003883869.tif 000013
【図１３】
0003883869.tif 000014
【図１４】
0003883869.tif 000015
【図１５】
0003883869.tif 000016
【図１６】
0003883869.tif 000017